(57)【要約】【課題】内部に内容物を充填したパイプをその充填物が零れ落ちないように切断することができる可搬式切断装置及び該装置に使用するカッタ刃を提供する。【解決手段】本実施例に係る可搬式切断装置１０１は、内部に固形充填物１２を有する薄肉パイプ１３を油圧駆動により可動する剪断カッタを用いて切断する可搬式切断装置であって、前記剪断カッタが固定カッタ１０２と移動カッタ１０３とからなると共に、前記固定カッタ１０２と移動カッタ１０３とのカッタ刃１００が、パイプ側壁面に喰い込む突起部１０４を有してなり、固定カッタ１０２と移動カッタ１０３とが点対象の位置に配置されてなる。【選択図】        図１
2006068839.tif 000002
【特許請求の範囲】
【請求項１】
内部に固形充填物を有する薄肉パイプを油圧駆動により可動する剪断カッタを用いて切断する可搬式切断装置であって、
前記剪断カッタが固定カッタとピストン式移動カッタとからなると共に、
前記固定カッタと移動カッタとのカッタ刃が、パイプ側壁面に喰い込む突起部を有してなり、
固定カッタと移動カッタとが点対象の位置に配置されてなることを特徴とする可搬式切断装置。
【請求項２】
請求項１において、
前記カッタ刃が、
前記薄肉パイプの軸方向と直交する面を有する切断部と、
前記切断部から垂下してなると共にパイプの軸方向に沿った面を有する第１の端面と、
前記第１の端面から所定角度をもって傾斜する面を有する第１の傾斜部と、第１の傾斜部の端部から垂下する面を有する第２の端面と、
前記切断部の端部から所定角度をもって傾斜する面を有する第２の傾斜部とからなることを特徴とする可搬式切断装置。
【請求項３】
内部に固形充填物を有する薄肉パイプを油圧駆動により可動する剪断カッタを用いて切断する可搬式切断装置のカッタ刃であって、
前記薄肉パイプの軸方向と直交する面を有する切断部と、
前記切断部から垂下してなると共にパイプの軸方向に沿った面を有する第１の端面と、
前記第１の端面から所定角度をもって傾斜する面を有する第１の傾斜部と、第１の傾斜部の端部から垂下する面を有する第２の端面と、
前記切断部の端部から所定角度をもって傾斜する面を有する第２の傾斜部とからなることを特徴とする可搬式切断装置のカッタ刃。
【発明の詳細な説明】
【技術分野】
【０００１】
本発明は、内部に固形充填物を有する薄肉パイプを切断する可搬式切断装置及び該装置に使用するカッタ刃に関する。
【背景技術】
【０００２】
図６に、従来用いられている鉄筋を切断する油圧駆動式鉄筋カッタの一例を示す。図６に示すように、切断装置１１は、内部に固形充填物１２を有する薄肉パイプ１３を油圧駆動により切断するものであり、固定カッタ１４と移動カッタ１５とからなる。固定カッタ１４と移動カッタ１５には、それぞれカッタ取り付け金物１６カッタ取り付け金物１７が設けられ、先端にはカッタ刃１８，１８が取り付けられている。
【０００３】
前記移動カッタ１５は油圧力により軸方向に駆動できるようになっており、内部に固形充填物１２を有する薄肉パイプ１３をカッタ刃１８，１８の間にはさみ、移動カッタ１５を前方（図６中右方向）に進めることで内部に固形充填物１２を有する薄肉パイプ１３が切断される（特許文献１）。
【０００４】
【特許文献１】特開平９−１０８９３０号公報
【発明の開示】
【発明が解決しようとする課題】
【０００５】
しかしながら、移動カッタを用いて薄肉パイプ１３を単に切断する場合、その切断面は切断面が閉じた状態にならず、内部の固定充填物１２が薄肉パイプ１３の外に流出してしまう、という問題がある。
また、内部の固形充填物１２を薄肉パイプ１３内に残したまま切断するには、切断面が閉じた状態で切断される必要があるが、いまだ良好な切断装置がないのが現状である。
【０００６】
ここで、図７に軽水炉型原子力発電プラントにおける原子炉容器内炉内構造物取替え時の、炉内構造物に取付けられている熱伝対引出管支持柱の撤去に際しての切断作業例を示す。これは旧炉内構造物２０がしゃへい性能を有する図示しなし容器に収納されるが、この容器の寸法上の制限から、旧炉内構造物２０に取付けられている熱伝対引出管支持柱２２を撤去する必要があり、これに先立ち熱伝対引出管支持柱２２内に収納されている熱伝対引出管２６を切断する必要がある。なお、図中符号２１は制御棒クラスタ案内管を図示する。
【０００７】
この作業は原子炉容器キャビティに水を張らない状態で実施されているが、原子炉容器内に炉内構造物２０を収納した状態で原子炉容器の上蓋を若干引上げ、このすきまから装置を挿入し、手動にて熱伝対引出管２６を切断する。この作業は原子炉容器上蓋２５を若干引上げ、キャビティ床面２３にて作業員２４が、前述したような切断装置１１を所定の切断位置に挿入し手動にて熱伝対引出管２６を切断するものである。
【０００８】
この作業は高放射線量下で実施されるため以下が要求される。
（１）短時間で完了すること。
（２）図６に示すようなカッタの刃の断面形状が矩形断面の切断装置で切断する場合には、その切断後の断面が閉じないため、熱伝対引出管（材質：ステンレス鋼）２６内の充填物（保護材：アルミナ）が切断面から外部にこぼれ落ちる、という問題がある。これを防止するためできるだけ切断面が閉じた状態で切断されることが望ましい。
（３）また、内部の充填物がこぼれないように切断できる刃は、市販の油圧駆動式鉄筋カッタの先端に容易に取付けられることで低価格化を図るという要望がある。
【０００９】
本発明は、前記問題に鑑み、内部に内容物を充填したパイプをその充填物が零れ落ちないように切断することができる可搬式切断装置及び該装置に使用するカッタ刃を提供することを課題とする。
【課題を解決するための手段】
【００１０】
上述した課題を解決するための本発明の第１の発明は、内部に固形充填物を有する薄肉パイプを油圧駆動により可動する剪断カッタを用いて切断する可搬式切断装置であって、前記剪断カッタが固定カッタとピストン式移動カッタとからなると共に、前記固定カッタと移動カッタとのカッタ刃が、パイプ側壁面に喰い込む突起部を有してなり、固定カッタと移動カッタとが点対象の位置に配置されてなることを特徴とする可搬式切断装置にある。
【００１１】
第２の発明は、第１の発明において、前記カッタ刃が、前記薄肉パイプの軸方向と直交する面を有する切断部と、前記切断部から垂下してなると共にパイプの軸方向に沿った面を有する第１の端面と、前記第１の端面から所定角度をもって傾斜する面を有する第１の傾斜部と、第１の傾斜部の端部から垂下する面を有する第２の端面と、前記切断部の端部から所定角度をもって傾斜する面を有する第２の傾斜部とからなることを特徴とする可搬式切断装置にある。
【００１２】
第３の発明は、内部に固形充填物を有する薄肉パイプを油圧駆動により可動する剪断カッタを用いて切断する可搬式切断装置のカッタ刃であって、前記薄肉パイプの軸方向と直交する面を有する切断部と、前記切断部から垂下してなると共にパイプの軸方向に沿った面を有する第１の端面と、前記第１の端面から所定角度をもって傾斜する面を有する第１の傾斜部と、第１の傾斜部の端部から垂下する面を有する第２の端面と、前記切断部の端部から所定角度をもって傾斜する面を有する第２の傾斜部とからなることを特徴とする可搬式切断装置のカッタ刃にある。
【発明の効果】
【００１３】
本発明によれば、パイプ側面に喰い込む突起部を有するので、内部に固形充填物を有する薄肉パイプを押しつぶし切断する際に、その切断後の断面がほぼ閉じた断面となり内部の充填物が外部に流出するのを防止する。
【発明を実施するための最良の形態】
【００１４】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例】
【００１５】
本発明による実施例に係る可搬式切断装置について、図面を参照して説明する。
図１は、本実施例に係る可搬式切断装置を示す概念図である。図２はその要部詳細図である。図３はカッタ刃の斜視図である。なお、前述した図６示す切断装置と同一の部材については、同一の符号を付してその説明は省略する。
これらの図面に示すように、本実施例に係る可搬式切断装置１０１は、内部に固形充填物１２を有する薄肉パイプ１３を油圧駆動により可動する剪断カッタを用いて切断する可搬式切断装置であって、前記剪断カッタが固定カッタ１０２と移動カッタ１０３とからなると共に、前記固定カッタ１０２と移動カッタ１０３とのカッタ刃１００が、パイプ側壁面に喰い込む突起部１０４を有してなり、固定カッタ１０２と移動カッタ１０３とが点対象の位置に配置されてなるものである。
【００１６】
本実施例では、図２及び図３に示すように、前記カッタ刃１００は、前記薄肉パイプ１３の軸方向と直交する面を有する切断部１１１と、前記切断部１１１の第１の端部１１１ａからから垂下してなると共に薄肉パイプ１３の軸方向に沿った面を有する第１の端面１１２と、前記第１の端面の端部１１２ａからから所定角度をもって傾斜する面を有する第１の傾斜部１１３と、第１の傾斜部１１３の端部１１３ａから垂下する面を有する第２の端面１１４と、前記切断部の端部１１１ｂから所定角度をもって傾斜する面を有する第２の傾斜部１１５とからなるものである。
【００１７】
前記カッタ刃１００はカッタ取り付け金物１６、１７に各々点対象の配置で取付けられている。なお、図中符号１２０はカッタ刃１００をカッタ取り付け金物１６，１７に取り付けるためのボルトを図示する。
【００１８】
そして、２枚のカッタ刃１００、１００の間に、内部に固形充填物１２を有する薄肉パイプ１３をはさみ、移動カッタ１０３を図示しない油圧駆動により前方に押出し内部に固形充填物を有する薄肉パイプ１３を切断する。
前記カッタ刃１００は突起部１０４を有しているので、切断後の薄肉パイプ１３の切断の断面の形状をできるだけ閉じた形状とすることができる。
すなわち、図２及び図３に示すように、第２の傾斜部１１５の傾斜部の端部１１１ｂをカッタ刃の先端より若干内側に入った起点としている。そして、薄肉パイプ１３を切断する際に、対向する固定カッタ１０２に設けたカッタ刃１００の第１の端面１１２と、前記第２の傾斜部１１５との間隔が徐々に狭まり、その剪断作用と共にパイプの肉厚部分を変形させ、固形充填物１２を内部に残したまま切断することとなる。
このように、第２の傾斜部１１５と第１の端面１１２とが切断後において、その断面の形状をできるだけ閉じた形状となるので、内部の固形充填物１２を残しての切断が可能となる。
【００１９】
ここで、前記カッタ刃１００の第２の傾斜部１１５の傾斜角度αは例えば５〜４５度、好適には３０度前後とするのが好ましい。また、第１の傾斜部１１３の傾斜角度βは例えば５〜６０度、好適には４５度前後とするのが好ましい。このような角度とすることで、前述したような、内部に固形充填物１２を残した状態で薄肉パイプ１３の切断を良好に行うことができる。
【００２０】
また、第１の端面１１２から第２の傾斜部１１５の起点１１１ｂまでの距離Ｌ１は、本実施例では例えば３ｍｍとしており、第１の端面１１２と第２端面までの距離Ｌ２は、本実施例では１〜２ｍｍとしている。
この第２の端面１１４は突起部１０４の薄肉パイプ１３への噛む込みを防止するためであり、突起部１０４がパイプに噛み込む際に、その薄肉パイプ１３の側面が第２の端面１１４と当接することにより、それ以上の噛み込みを防止している。なお、第１の端面１１２と第２端面までの距離Ｌ２は、パイプの肉厚に応じてその距離Ｌ２を適宜変更するようにしている。
【００２１】
前記可搬式切断装置によれば、パイプ側面に喰い込む突起部を有するので、内部に固形充填物を有する薄肉パイプを押しつぶし切断する際に、その切断後の断面がほぼ閉じた断面となり内部の充填物が外部に流出するのを防止することができる。
【００２２】
このように、本発明に可搬式切断装置は、市販の手動レンチタイプ切断装置よりは作業スペースも小さくてすみ、作業時間も短縮できる効果がある。更に、本発明のカッタ刃１００は、一般に入手可能な市販の油圧駆動式鉄筋カッタに簡単に取付けられることができる。なお、ここで言う市販の油圧駆動式鉄筋カッタの例としては、例えば石原機械工業（株）製の携帯用油圧式加工機等があるが、これに限定されるものではない。
【００２３】
次に、本実施例にかかる可搬式切断装置を用いて内部に充填物を有する薄肉パイプの切断の様子を図４及び図５を用いて説明する。
図４は内部に固形充填物１２を有する薄肉パイプ１３の切断前、切断途中及び切断後の状態を示し、図５はそれに対応するパイプの各断面を示す。
【００２４】
先ず、図４の上段は、切断前の状態を示す図であり、切断前の断面図を示す図５で示すように内部に薄肉パイプ１３内には充填物１２が収められている。切断作業は内部に固形充填物１２を有する薄肉パイプ１３をカッタ刃１００、１００ではさみ、左側のカッタ刃１００を右側に移動させることで切断が開始される。
【００２５】
次に、図４の中段は切断途中の状態を示す図であり、内部に固形充填物１２を有する薄肉パイプ１３は左右のカッタ刃１００、１００が近接することにより、カッタ刃の形状に沿う形で押しつぶされた状態になる。
【００２６】
そして、図４の下段は、内部に固形充填物１２を有する薄肉パイプ１３が切断された状態を示す図であり、２枚のカッタ刃１００、１００はお互いにくい込んだ状態であり、この時内部に固形充填物１２を有する薄肉パイプ１３の切断近傍では、カッタ刃１００の形状に沿う形で押しつぶされている。よって、その切断後の断面を示す図５の下段の断面図に示すようにその断面がほぼ閉じた状態に変形しており、固形充填物１２が密となり、この結果外部に出にくい状態となっている。
【００２７】
この結果、内部に固定充填物を残したままで薄肉パイプを良好に切断することできる。
このような可搬式切断装置を用いることで、軽水炉型原子力発電プラントにおける原子炉容器内炉内構造物の取替え時の、炉内構造物に取付けられている熱伝対引出管支持柱の撤去に際しての切断作業を良好に行うことができる。
【産業上の利用可能性】
【００２８】
以上のように、本発明にかかる可搬式切断装置は、切断後の断面がほぼ閉じた断面となり内部の充填物が外部に流出するのを防止することができ、例えば放射線を含む保護材を内部に有するパイプ等の切断に用いて適している。
【図面の簡単な説明】
【００２９】
【図１】実施例にかかる可搬式切断装置の概略図である。
【図２】図１の要部詳細部である。
【図３】実施例にかかるカッタ刃の斜視図である。
【図４】実施例にかかる可搬式切断装置を用いた切断の工程概略図である。
【図５】図４の切断の工程に対応するパイプの断面概略図である。
【図６】従来技術にかかる切断装置の概略図である。
【図７】原子炉容器内炉内構造物の取替え時の、炉内構造物に取付けられている熱伝対引出管支持柱の撤去に際しての切断作業例を示す図である。
【符号の説明】
【００３０】
１２  固形充填物
１３  薄肉パイプ
１００  カッタ刃
１０１  可搬式切断装置
１０２  固定カッタ
１０３  移動カッタ
１０４  突起部
１１１  切断部
１１１ａ  第１の端部
１１１ｂ  切断部の端部
１１２  第１の端面
１１２ａ  第１の端面の端部
１１３  第１の傾斜部
１１３ａ  第１の傾斜部の端部
１１４  第２の端面
１１５  第２の傾斜部
【図１】
2006068839.tif 000003
【図２】
2006068839.tif 000004
【図３】
2006068839.tif 000005
【図４】
2006068839.tif 000006
【図５】
2006068839.tif 000007
【図６】
2006068839.tif 000008
【図７】
2006068839.tif 000009